(57)【要約】【課題】　外光反射低減及び内在された機能性物質を視聴空間に放出できる背面投射スクリーン及びこれを採用したプロジェクターを提供する。【解決手段】　入射光を集束させるフレネルレンズと、フレネルレンズの前面に配置され、フレネルレンズを透過した光が集束して映像を形成するレンチキュラーレンズと、レンチキュラーレンズの前面に配されるものであって、レンチキュラーレンズを保護する保護板と、保護板の一面に配されるものであって、プロジェクターの外部から入射された外部光を乱反射させて視聴者に向かう反射光を低減させると共に外部に放出可能なコア部材を含む外光反射低減部と、を備えたことを特徴とする背面投射スクリーンである。望ましくは、外光反射低減部は、入射された外部光を乱反射させるものであって、各々複数の中空フィラーと、中空フィラー内に充填されて中空フィラーの開口により外部に放出されるコア部材と、中空フィラーを保護板に結合させる結合部材とを含む。【選択図】　　　図５ 
2004139076.tif 000002
【特許請求の範囲】
【請求項１】
　入射光を集束させるフレネルレンズと、
　前記フレネルレンズの前面に配され、前記フレネルレンズを透過した光が集束して映像を形成するレンチキュラーレンズと、
　前記レンチキュラーレンズの前面に配されるものであって、前記レンチキュラーレンズを保護する保護板と、
　前記保護板の一面に配されるものであって、プロジェクターの外部から入射された外部光を乱反射させて視聴者に向かう反射光を低減させると共に外部に放出可能なコア部材を含む外光反射低減部と、を備えたことを特徴とするプロジェクター用スクリーン。
【請求項２】
　前記外光反射低減部は、
　入射された外部光を乱反射させるものであって、各々複数の中空フィラーと、
　前記中空フィラー内に充填され、前記中空フィラーの開口により外部に放出されるコア部材と、
　前記中空フィラーを前記保護板に結合させる結合部材とを含むことを特徴とする請求項１に記載のプロジェクター用スクリーン。
【請求項３】
　前記コア部材は、
　医薬品、香料、オイル及び抗菌剤のうち選択された少なくとも何れか１つの材質よりなることを特徴とする請求項２に記載のプロジェクター用スクリーン。
【請求項４】
　画像を生成する画像生成手段と、生成された映像を拡大投射する投射レンズユニットと、前記投射レンズユニットから投射された映像が結ばれるスクリーンとを含むプロジェクターにおいて、
　前記スクリーンは、
　入射光を集束させるフレネルレンズと、
　前記フレネルレンズの前面に配され、前記フレネルレンズを透過した光が集束して映像を形成するレンチキュラーレンズと、
　前記レンチキュラーレンズの前面に配されるものであって、前記レンチキュラーレンズを保護する保護板と、
　前記保護板の一面に配されるものであって、プロジェクターの外部から入射された外部光を乱反射させて視聴者に向かう反射光を低減させると共に外部に放出可能なコア部材を含む外光反射低減部と、を備えたことを特徴とするプロジェクター。
【請求項５】
　前記外光反射低減部は、
　入射された外部光を乱反射させるものであって、各々複数の中空フィラーと、
　前記中空フィラー内に充填され、前記中空フィラーの開口により外部に放出されるコア部材と、
　前記中空フィラーを前記保護板に結合させる結合部材とを含むことを特徴とする請求項４に記載のプロジェクター。
【請求項６】
　前記コア部材は、
　医薬品、香料、オイル及び抗菌剤のうち選択された少なくとも何れか１つの材質よりなることを特徴とする請求項４に記載のプロジェクター用スクリーン。
【発明の詳細な説明】
【技術分野】
【０００１】
　本発明は背面投射スクリーン及びこれを採用したプロジェクターに係り、特に外光反射低減及び内在された機能性物質を視聴空間に放出可能な背面投射スクリーン及びこれを採用したプロジェクターに関する。
【背景技術】
【０００２】
　一般に、プロジェクターは画像生成手段で生成された画像をスクリーンに投影することによって画像を提供する。このプロジェクターは映像をスクリーンに拡大投射する方式によって前面投射型と背面投射型とに区分される。
【０００３】
　図１を参照するに、一般の背面投射プロジェクターはキャビネット１０と、このキャビネット１０の前面に設けられ、映像が結ばれるスクリーン２０と、このキャビネット１０内で設けられて画像を生成し、これを照射する冷陰極線管などの画像生成手段１１と、この画像生成手段１１から照射された映像を拡大投射させる投射レンズユニット１３と、この投射レンズユニット１３から入射された映像をスクリーン２０方向に反射させる反射鏡１５とを含んで構成される。このように構成された背面投射型プロジェクターはスクリーン２０の背面から投射されてスクリーン２０に結ばれた画像をスクリーン２０の前面、すなわち、キャビネット１０の外部で視聴する。
【０００４】
　図２を参照するに、従来の背面投射スクリーン２０は投射レンズユニット１３から入射された発散光が平行光になるように集束させるフレネルレンズ２１と、このフレネルレンズ２１の前面に配されてフレネルレンズ２１を透過した光が集束して映像を形成するレンチキュラーレンズ２３と、このレンチキュラーレンズ２３の前面に設けられる保護板２５を含む。
【０００５】
　保護板２５はフレネルレンズ２１及びレンチキュラーレンズ２３をかき傷及び汚染から保護し、映像のコントラスト向上を目的として使われる。一方、外部光源が存在して視聴空間が明るい場合、保護板２５は外部光に対して表面反射を起こして映像の画質劣化を招く問題点がある。
【０００６】
　このような問題点を勘案し、本出願人は１９９８年７月１４日付にて特許文献１を出願した。特許文献１によれば、図３に示されたように、保護板２５に外部光源から入射された光の反射を低減させうる外光反射低減部２７を含む。この外光反射低減部２７はプロジェクターの外部に設けられた外部光源から入射された光の反射角度を変換させて反射させることによって、視聴者に向かう反射光を低減させる。
【０００７】
　一方、前記プロジェクター用スクリーンは外光反射の低減以外の付加的な機能はない。
【特許文献１】大韓民国特許出願第９８−２８４２２号公報
【特許文献２】特開２００１−２２８５４７号
【発明の開示】
【発明が解決しようとする課題】
【０００８】
　本発明は前記問題点を勘案して案出されたものであって、外光反射低減を通じてスクリーンの画質劣化を低減させると共に、機能性内在物質を含んで、これを外部に放出できるように保護板の構造を改善した背面投射スクリーン及びこれを採用したプロジェクターを提供することをその目的とする。
【課題を解決するための手段】
【０００９】
　前記目的を達成するために本発明に係るプロジェクター用スクリーンは、入射光を集束させるフレネルレンズと、前記フレネルレンズの前面に配され、前記フレネルレンズを透過した光が集束して映像を形成するレンチキュラーレンズと、前記レンチキュラーレンズの前面に配されるものであって、前記レンチキュラーレンズを保護する保護板と、前記保護板の一面に配されるものであって、プロジェクターの外部から入射された外部光を乱反射させて視聴者に向かう反射光を低減させると共に外部に放出可能なコア部材を含む外光反射低減部とを備えたことを特徴とする。
【００１０】
　望ましくは、外光反射低減部は、入射された外部光を乱反射させるものであって、各々複数の中空フィラーと、前記中空フィラー内に充填され、前記中空フィラーの開口により外部に放出されるコア部材と、前記中空フィラーを前記保護板に結合させる結合部材とを含むことを特徴とする。
【００１１】
　また、本発明に係る背面投射スクリーンを採用したプロジェクターは画像を生成する画像生成手段と、生成された映像を拡大投射させる投射レンズユニットと、前記投射レンズユニットから投射された映像が結ばれるスクリーンとを含み、前記スクリーンは入射光を集束させるフレネルレンズと、前記フレネルレンズの前面に配され、前記フレネルレンズを透過した光が集束して映像を形成するレンチキュラーレンズと、前記レンチキュラーレンズの前面に配されるものであって、前記レンチキュラーレンズを保護する保護板と、前記保護板の一面に配されるものであって、プロジェクターの外部から入射された外部光を乱反射させて視聴者に向かう反射光を低減させると共に外部に放出可能なコア部材を含む外光反射低減部とを備えたことを特徴とする。
【発明の効果】
【００１２】
　本発明の背面投射スクリーン及びこれを採用したプロジェクターは、中空フィラーでの乱反射を通じて外光反射を低減させて鮮明な画像を提供する。また、中空フィラー内に充填されたコア部材を視聴空間に放出することによって、芳香、抗菌、治療などの効果が得られる。
【発明を実施するための最良の形態】
【００１３】
　図４を参照するに、本発明の実施例に係る背面投射スクリーン４０は投射レンズユニット（図１の１３）で入射された発散光が平行光になるように集束させるフレネルレンズ４１と、このフレネルレンズ４１の前面に配され、フレネルレンズ４１を透過した光が集束して映像を形成するレンチキュラーレンズ４３と、このレンチキュラーレンズ４３の前面に設けられてフレネルレンズ４１及びレンチキュラーレンズ４３を保護する保護板５０及び、この保護板５０の一面に形成されて外部光源（図５の３０）から入射された光の反射を低減させると共に機能性内在物質を放出しうる外光反射低減部６０を含む。
【００１４】
　外光反射低減部６０はプロジェクターの外部に設けられた外部光源３０から入射された光の反射角度を変換させて乱反射させることによって視聴者に向かう反射光を低減させる。また、機能性内在物質として医薬品、香料、オイル、抗菌性物質などを含み、この内在物質を外部に長時間に亙って放出することによって視聴者に映像の提供以外に治療、快適な視聴環境などを提供する。
【００１５】
　図５及び図６を参照するに、外光反射低減部６０は複数の中空フィラー６１と、中空フィラー６１内に充填された内在物質であるコア部材６３と、中空フィラー６１を保護板５０に結合させる結合部材６５とを含む。
【００１６】
　複数の中空フィラー６１は結合部材６５内に形成されるか、一部が外部に露出さるべく形成される。この中空フィラー６１はその外部面が丸くなって外部からの入射光を乱反射させる。したがって、外部光による画質の劣化を低減させうる。
【００１７】
　中空フィラー６１は１ないし３００μｍの直径を有する。一方、中空フィラー６１の直径が小さいほど外部光をさらによく乱反射させうるという点と、中空フィラー６１の外部面が滑らかに形成されねばならない点を勘案して複数の中空フィラー６１の平均直径を５ないし１０μｍにすることが望ましい。また、中空フィラー６１はウレタン化合物、メラミン、ウレア、ゼラチン化合物などの材質より構成される。
【００１８】
　コア部材６３は医薬品、香料、オイル、抗菌物質等で構成され、中空フィラー６１の外部に放出される。したがって、視聴空間の芳香剤の役割、抗菌作用などを通じて視聴環境を改善しうる。一方、コア部材６３は前記種類の機能を行う材質に限定されず、他の材質への変形使用が可能である。
【００１９】
　コア部材６３は中空フィラー６１の壁がなくなるか、外部への物質伝達過程を通じて特性によって外部に徐々に放出されるか、外部刺激、例えば中空フィラー６１を磨くことによって放出されることもある。
【００２０】
　図６は、外光反射低減部６０の外部面に加えられた外部刺激によって、中空フィラー６１の一部が参照符号６１ａが指示するように開口されたことを示したものである。このように、中空フィラー６１の一部が開口されることによって、コア部材６３が外光反射低減部６０の外部面に放出される。
【００２１】
　結合部材６５は中空フィラー６１を保護板５０に結合するためのものである。この結合部材６５はフローコーティング、ディップコーティング、ロールコーティングなどのコーティング方式を通じて保護板５０上に形成できる。このようなコーティング方式それ自体は広く知られているので、その詳細な説明は省略する。
【００２２】
　このように、コーティングによって結合部材６５を形成する場合、結合部材６５をなす樹脂と、中空フィラー６１の物性によってそのコーティング方式を選択しうる。一方、結合部材６５の形成は必ずしも前記コーティング方式によってなされるのではなく、他の形態の変形実施が可能である。
【００２３】
　表１は４：３比率を有する４３インチスクリーンについて本発明の実施例に係る中空フィラー６１を採用した例を示したものである。
【００２４】
【表１】
2004139076.tif 000003
　表１はコア部材としてオローブ油を使用した場合を例として示したものであって、光沢度を説明すれば、０ないし１６０間の標準化された値のうち１１０±３０を有することによって外光反射が低いということが分かる。
【００２５】
　また、本発明に係るプロジェクターは画像を生成する画像生成手段、生成された映像を拡大投射する投射レンズユニット及び映像が結ばれるスクリーンを含み、前記スクリーンとして図４ないし図６を参照して説明された背面投射スクリーンを採用する。
【産業上の利用可能性】
【００２６】
　従って、本発明は背面投射スクリーン及び芳香、抗菌、治療などの機能性物質の放出が要求されるプロジェクションテレビ分野に適用しうる。
【図面の簡単な説明】
【００２７】
【図１】一般の背面投射プロジェクターを概略的に示す断面図である。
【図２】従来の背面投射スクリーンを概略的に示す斜視図である。
【図３】従来の外光反射低減のための保護板を示す概略的な図である。
【図４】本発明の実施例に係る背面投射スクリーンを概略的に示す斜視図である。
【図５】本発明の実施例に係る外光反射低減部を示す概略的な断面図である。
【図６】図４の外光反射低減部の動作を説明するために示す概略的な断面図である。
【符号の説明】
【００２８】
６０　外光反射低減部
６１　中空フィラー
６３　コア部材
５０　保護板
６５　結合部材
【図１】
2004139076.tif 000004
【図２】
2004139076.tif 000005
【図３】
2004139076.tif 000006
【図４】
2004139076.tif 000007
【図５】
2004139076.tif 000008
【図６】
2004139076.tif 000009